(57)【要約】【課題】輸送便の表面に広告シールを貼付することで、郵便物、宅配便を受け取った人が、この広告シールをすぐに認識することにより、宣伝訴求力を高める。【解決手段】郵便物又は宅配便等の輸送便１の表面に貼付される広告シール２である。広告シール２は、シート材２ａの表面に広告情報が表示され、シート材２ａの裏面に貼付剤２ｂが塗布されたシートであり、広告シール２は、輸送便１自身の配達依頼者（広告依頼主Ａ）の許可のもと輸送便１の表面に貼付される。このとき、輸送便１の広告情報とマッチした広告情報の広告シール２が貼付されるようになっている。【選択図】図１
2019002947.tif 000002
【特許請求の範囲】
【請求項１】
郵便物又は宅配便等の輸送便（１）に貼付される広告シール（２）であって、
前記広告シール（２）は、シート材（２ａ）の表面に広告情報が表示され、該シート材（２ａ）の裏面に貼付剤（２ｂ）が塗布されたシートである、ことを特徴とする輸送便に貼付する広告シール。
【請求項２】
前記輸送便（１）は透明封筒（２１）である、ことを特徴とする請求項１の輸送便に貼付する広告シール。
【請求項３】
前記輸送便（１）は梱包箱（３１）である、ことを特徴とする請求項１の輸送便に貼付する広告シール。
【請求項４】
前記広告シール（２）に表示された広告情報は、発光塗料（１１）により表示されたものである、ことを特徴とする請求項１，２又は３の輸送便に貼付する広告シール。    
【請求項５】
前記広告シール（２）に表示された広告情報は、線画が浮き上がる立体インク（１２）で表示されたものである、ことを特徴とする請求項１，２又は３の輸送便に貼付する広告シール。
【請求項６】
前記広告シール（２）に表示された広告情報は、封筒（３）を折り曲げると裁断された状態の形状が部分的に飛び出すポップアップカード風に表示されたものである、ことを特徴とする請求項１，２又は３の輸送便に貼付する広告シール。
【請求項７】
輸送便（１）の封筒（３）又は梱包箱（３１）に、シート材（２ａ）の表面に広告情報が表示され、該シート材（２ａ）の裏面に貼付剤（２ｂ）が塗布された広告シール（２）を貼付して宣伝する広告シールによる輸送便宣伝方法であって、
広告依頼主（Ａ）は、自己の輸送便（１）に広告シール（２）を貼付させることによる掲載料を広告シールの広告依頼主（Ｃ）から徴収することを条件に、ダイレクトメール等の大量の輸送便（１）の発送を広告シール管理者（Ｂ）に依頼し、
前記広告シール管理者（Ｂ）は、広告シールの広告依頼主（Ｃ）が作成を依頼する広告シール（２）を、前記輸送便（１）に貼付する旨を前記広告依頼主（Ａ）に連絡し、
前記広告依頼主（Ａ）は、前記広告シール管理者（Ｂ）が広告シール（２）の貼付許可を出したら、輸送便（１）の封筒（３）又は梱包箱（３１）に広告シール（２）を貼付し、  配送者（Ｄ）は、広告シール（２）が貼付された輸送便（１）を各配達先（Ｅ）に配達する、ことを特徴とする広告シールによる輸送便宣伝方法。
【請求項８】
輸送便（１）の封筒（３）又は梱包箱（３１）に、シート材（２ａ）の表面に広告情報が表示され、該シート材（２ａ）の裏面に貼付剤（２ｂ）が塗布された広告シール（２）を貼付して宣伝する広告シールによる輸送便宣伝方法であって、  前記広告シール（２）が貼付された輸送便（１）の配達先（受取人）（Ｅ）の住所、氏名、性別、年齢、職業等の属性に関する配達先（受取人）項目情報データベース（４１）、該輸送便（１）の発送を依頼する広告依頼主（Ａ）の業種、広告内容に関する広告依頼主情報データベース（４２）、該輸送便（１）に貼付する広告シール（２）に表示される、広告シールの広告依頼主（Ｃ）の広告情報に関する広告シール情報データベース（４３）が記憶されるデータベース（４０）を作成し、
新たな輸送便（１）を発送する際に、前記データベース（４０）を参照し、輸送便（１）の発送を依頼する前記広告依頼主（Ａ）の業種、広告内容に関する該広告依頼主（Ａ）の広告情報の項目を設定し、
広告シール管理者（Ｂ）が管理している広告シール管理システム（１００）により、設定された前記広告依頼主（Ａ）の広告情報項目について、その輸送便（１）に貼付する広告シール（２）の広告情報が適応するか否かが判定され、その後最適な広告シール（２）が輸送便（１）に貼付される、ことを特徴とする広告シールによる輸送便宣伝方法。
【発明の詳細な説明】
【技術分野】
【０００１】
本発明は、封筒等の郵便物あるいは宅配便の広告に係り、特に、このような封筒、梱包箱に広告シールを貼り付ける輸送便に貼付する広告シール及びこれを用いた輸送便宣伝方法に関する。
【背景技術】
【０００２】
葉書、封筒等の郵便物又は宅配便等の輸送便を用いて広告をする方法としては、日本郵便事業株式会社の広告郵便物が知られている。この広告郵便物は、デパート、スーパーなどのバーゲンセール、スポーツクラブなどの会員募集の案内、通信販売会社の商品紹介用ＤＭ、商品のセールスや、新規開店の案内状に利用されている。この広告郵便物は差出通数等の条件によって、料金が割引になるため従来から利用されている。
【０００３】
また、輸送便自体に広告を表示する方法としては、図１４に示すように、「エコーはがき」が日本郵便事業株式会社から提供されている。このエコーはがき５０１は、官製はがきの下部を広告主が提供する広告スペース５０２に当て、通常の官製はがきの売価が１枚６２円のところを、広告を掲載することで５円分を差し引いた１枚５７円で販売されるものである。
【０００４】
更に、宅配便（メール便）に広告シールを貼り付ける技術も提案されている。例えば特許文献１の実用新案登録第３０９８９３３号公報「メール便用広告付き宛名ラベル」のように、宛名情報及び管理情報を印刷表示した宛名表示部と、広告情報を印刷表示した広告表示部がラベル台紙に設けられているメール便用広告付き宛名ラベル。宛名情報及び管理情報を印刷表示した宛名表示部と、剥離シート貼付部がラベル台紙に設けられ、前記剥離シート貼付部に剥離シートが剥離可能に貼付されると共に、この剥離シートの表面に広告情報を印刷表示した広告表示部が設けられているメール便用広告付き宛名ラベル。メール便用広告付き宛名ラベルにおいて、剥離シート貼付部が広告情報を印刷表示した広告表示部に形成されているメール便用広告付き宛名ラベル。メール便用広告付き宛名ラベルにおいて、宛名情報及び管理情報及び広告情報がオンデマンド印刷により表示されているメール便用広告付き宛名ラベルが提案されている。
【先行技術文献】
【特許文献】
【０００５】
【特許文献１】実用新案登録第３０９８９３３号公報
【発明の概要】
【発明が解決しようとする課題】
【０００６】
しかし、従来の広告郵便物は所定の数量を超えないと利用できないという利用条件がある。この広告郵便物は大量に発送する差出通数等の条件により料金が割引になるというものである。２０００通以上であれば、千通単位、万通単位で割引料が異なるというものである。単に料金が割引になるというもので、宣伝訴求力を高めたものではなかった。
【０００７】
エコーはがき５０１は全国版の場合に７００万枚以上、準全国版、複数の都道府県や地域にまたがって発行するもので３００万枚以上、地方版、都道府県単位では５万枚以上という利用条件があり、発送通数が少量の場合は簡単には利用できないという問題を有していた。
【０００８】
従来のエコーはがき、広告郵便物又は特許文献１の「メール便用広告付き宛名ラベル」は、いずれも広告主の宣伝広告に関するものであるため、文字通り広告主の宣伝内容が掲載されるもので、広告宣伝の内容とその訴求先（郵便物等の受領者）とが一致せず、結果として宣伝訴求力が低くなるという問題を有していた。
【０００９】
また、特許文献１の「メール便用広告付き宛名ラベル」は、広告シールが宛名ラベルの中という限られた空間内である。ごく小さい面積に情報を記載するもので、宣伝訴求力が低いという問題を有していた。
【００１０】
本発明の発明者は、毎日受け取ることが多い郵便物、宅配便の輸送便に広告を掲載すれば、輸送便を新たな広告媒体として活用することができると考えた。特にこの輸送便の表面又は裏面に広告シールが貼付されていれば、受け取った人はその輸送便（封筒）を開封する前にその広告シールの内容を認識できることに着目した。封筒の表面又は裏面に貼付された広告シールは、宣伝訴求力が高いことに着目した。
更に、簡単に封筒等に貼付できる構成にすることで少量の通数にも対応でき、広告宣伝の内容とその訴求先とを容易に一致させることができると考えた。
【００１１】
本発明は、かかる問題点を解決するために創案されたものである。すなわち、本発明の目的は、輸送便の表面又は裏面に広告シールを貼付することで、郵便物、宅配便を受け取った人が、この広告シールをすぐに認識することにより、宣伝訴求力を高めることができる輸送便に貼付する広告シール及びこれを用いた輸送便宣伝方法を提供することにある。
【課題を解決するための手段】
【００１２】
本発明の「広告シール」は、郵便物又は宅配便等の輸送便（１）に貼付される広告シール（２）であって、
前記広告シール（２）は、シート材（２ａ）の表面に広告情報が表示され、該シート材（２ａ）の裏面に貼付剤（２ｂ）が塗布されたシートである、ことを特徴とする。
【００１３】
前記輸送便（１）には、封筒（３）、透明封筒（２１）又は梱包箱（３１）がある。
前記広告シール（２）に表示された広告情報は、発光塗料（１１）により表示されたもの、線画が浮き上がる立体インク（１２）で表示されたものがある。
前記広告シール（２）に表示された広告情報は、輸送便（１）が封筒のときは、これを折り曲げると裁断された状態の形状が部分的に飛び出すポップアップカード風に表示されたものがある。
【００１４】
本発明の「広告シールによる輸送便宣伝方法」は、輸送便（１）の封筒（３）又は梱包箱（３１）に、シート材（２ａ）の表面に広告情報が表示され、該シート材（２ａ）の裏面に貼付剤（２ｂ）が塗布された広告シール（２）を貼付して宣伝する広告シールによる輸送便宣伝方法であって、
広告依頼主（Ａ）は、自己の輸送便（１）に広告シール（２）を貼付させることによる掲載料を広告シールの広告依頼主（Ｃ）から徴収することを条件に、ダイレクトメール等の大量の輸送便（１）の発送を広告シール管理者（Ｂ）に依頼し、
前記広告シール管理者（Ｂ）は、広告シールの広告依頼主（Ｃ）が作成を依頼する広告シール（２）を、前記輸送便（１）に貼付する旨を前記広告依頼主（Ａ）に連絡し、
前記広告依頼主（Ａ）は、前記広告シール管理者（Ｂ）が広告シール（２）の貼付許可を出したら、輸送便（１）の封筒（３）又は梱包箱（３１）に広告シール（２）を貼付し、  配送者（Ｄ）は、広告シール（２）が貼付された輸送便（１）を各配達先（Ｅ）に配達する、ことを特徴とする。
【００１５】
また、本発明の「広告シールによる輸送便宣伝方法」は、輸送便（１）の封筒（３）又は梱包箱（３１）に、シート材（２ａ）の表面に広告情報が表示され、該シート材（２ａ）の裏面に貼付剤（２ｂ）が塗布された広告シール（２）を貼付して宣伝する広告シールによる輸送便宣伝方法であって、  前記広告シール（２）が貼付された輸送便（１）の配達先（受取人）（Ｅ）の住所、氏名、性別、年齢、職業等の属性に関する配達先（受取人）項目情報データベース（４１）、該輸送便（１）の発送を依頼する広告依頼主（Ａ）の業種、広告内容に関する広告依頼主情報データベース（４２）、該輸送便（１）に貼付する広告シール（２）に表示される、広告シールの広告依頼主（Ｃ）の広告情報に関する広告シール情報データベース（４３）が記憶されるデータベース（４０）を作成し、
新たな輸送便（１）を発送する際に、前記データベース（４０）を参照し、輸送便（１）の発送を依頼する前記広告依頼主（Ａ）の業種、広告内容に関する該広告依頼主（Ａ）の広告情報の項目を設定し、
広告シール管理者（Ｂ）が管理している広告シール管理システム（１００）により、設定された前記広告依頼主（Ａ）の広告情報項目について、その輸送便（１）に貼付する広告シール（２）の広告情報が適応するか否かが判定され、その後最適な広告シール（２）が輸送便（１）に貼付される、ことを特徴とする。
【発明の効果】
【００１６】
本発明「広告シール」の構成では、輸送便（１）の封筒（３）の表面又は裏面、透明封筒（２１）の表面又は裏面に広告シール（２）が貼付されているので、その輸送便（１）（封筒（３）など）を開封する前にその広告シール（２）の内容を認識することができ、宣伝訴求力が高い。また、広告シール（２）は、封筒（３）等に後から簡単に貼付できるので、少量の通数にも対応でき、広告宣伝の内容とその訴求先を一致させることができる。
【００１７】
本発明は、輸送便（１）の輸送依頼者即ち広告依頼主（Ａ）自身により輸送便（１）の表面又は裏面に貼付される広告シール（２）は、大量の輸送便（１）に広告シール（２）を貼付することができる。また、配達先の配送所において輸送便（１）の表面又は裏面に貼付する広告シール（２）は、その地域にのみ配達するために、その地域の住民に応じた宣伝を発信することもできる。
【００１８】
本発明は、輸送便（１）等に広告シール（２）を貼付する構成であるために、封筒（３）は元より、プラスチック、セロハン性の透明封筒（２１）、さらに梱包箱（３１）にも貼付することができる。輸送便（１）の形態は限定されず、種々の輸送便（１）に利用することができる。
広告シール（２）に表示された広告情報の表示は、発光塗料（１１）により表示されたもの、線画が浮き上がる立体インク（１２）で表示されたものと種々の形態ものを貼付することができる。更にポップアップカード風に表示されたものでも貼付できるため、宣伝訴求力が高い。
【００１９】
本発明の「輸送便宣伝方法」では、配送者（Ｄ）は、広告依頼主（Ａ）の輸送便（１）に広告シール（２）を貼付する際に、広告シール管理者（Ｂ）が管理しているデータベース（４０）の各情報に基づき、広告依頼主（Ａ）が取り扱う製品、サービス内容、業種に関連した広告情報を表示した広告シール（２）を選定することができる。その配達個数、情報の種類に応じて輸送便（１）の配送料金を割引する（広告掲載料を徴収する）ことで、広告依頼主（Ａ）の宣伝広告経費を低減することができる。
【００２０】
更に、本発明の広告シール管理システム（１００）を用いた「輸送便宣伝方法」では、広告シール管理者（Ｂ）が管理しているデータベース（４０）に基づき、広告依頼主（Ａ）が取り扱う製品、サービス内容、業種に関連した広告情報を表示した広告シール（２）を選定することができる。宣伝訴求力の高い広告シール（２）を貼付して輸送便（１）を各配達先（Ｅ）に配達するので、広告シール（２）を必要に応じた通数の輸送便（１）に貼付することができる。広告宣伝の内容とその訴求先（郵便物等を受け取る人）とを一致させることができ、宣伝訴求力を高めることができる。
【図面の簡単な説明】
【００２１】
【図１】本発明の広告シールを輸送便の封筒に貼付した状態を示す封筒の表面図である。
【図２】本発明の広告シールを輸送便の封筒に貼付した状態を示す封筒の裏面図である。
【図３】本発明の広告シールを透明封筒の輸送便に貼付した状態を示す透明封筒の表面図である。
【図４】本発明の広告シールを透明封筒の輸送便に貼付した状態を示す透明封筒の裏面図である。
【図５】広告シールの一例を示す拡大断面図である。
【図６】本発明の広告シールを輸送便である梱包箱の数カ所に貼付した状態を示す斜視図である。
【図７】広告シールに発光塗料を使用した変形例１を示す封筒の部分正面図である。
【図８】広告シールに立体インクを使用した変形例２を示す封筒の部分正面図である。
【図９】広告シールにポップアップカード風に形成した変形例３を示す封筒の部分正面図である。
【図１０】実施例２の広告シールによる輸送便宣伝方法を示す概略説明図である。
【図１１】輸送便に広告シールを貼付する際の作業フロー図である。
【図１２】広告シールによる輸送便宣伝方法の実施に用いる管理システムの一例を示すブロック図である。
【図１３】実施例２の広告シールによる輸送便宣伝方法の実施に用いる管理システムの処理の一例を示すフローチャートである。
【図１４】エコーはがきを示す正面図である。
【発明を実施するための形態】
【００２２】
本発明は、広告シールがシート材の表面に広告情報が表示され、シート材の裏面に貼付剤が塗布されたシートであり、この広告シールは輸送便に貼付されるものである。
【実施例１】
【００２３】
以下、本発明の実施の形態を図面を参照して説明する。
＜輸送便「封筒」に貼付する広告シール＞
図１は本発明の広告シールを輸送便の封筒に貼付した状態を示す封筒の表面図である。
本発明は、郵便物又は宅配便等の輸送便１の表面又は裏面に貼付する広告シール２である。広告シール２は、表面に広告情報２ａが表示され、裏面に貼付剤２ｂが塗布されたシートである。ここで広告情報とは、不特定多数の人々を対象に商品又はサービスの存在、特徴、顧客の受ける便益性等を知らせ、受け手方の理解と納得をもとに購買行動を惹起さたり、信用を植え付けるための情報をいう。この広告シール２の広告情報は、後述する広告シールの広告依頼主Ｃから発信されるものである。
【００２４】
但し、本発明の広告シール２が輸送便１の表面又は裏面に貼付されるもので、主に小さい広告シールである。広告情報としては、商品名、サービス名、会社名、電話番号などの限られたものになる。後述する梱包箱３１のように大きな輸送便１の場合は、広告シール２の広告情報に多数の情報を表示できる。例えば、商品の写真、イラストなども表示できる。また、図示例の広告シール２は、長方形状の形態に表しているが、この長方形状に限定されない。例えば、円形、三角形、動物の形状、自動車の形状など広告情報の内容に即した形状にすることができる。
【００２５】
図１に示す封筒３には、左上に切手４又は宅配便伝票と、宛先の郵便番号、住所、氏名、名所が表示された宛先シート５が貼付されている。または宛先シート５に代えて封筒３に印字されたものでよい。この封筒３の余白部分に広告シール２を貼付する。企業の封筒３には、その表側にその企業に関する住所、会社名、イラストが印刷されているものも多いので、この印刷個所６に重ならないようにする。また、図示例の封筒３は、長方形状に表しているが、この長方形状に限定されないことは勿論である。
【００２６】
図２は本発明の広告シールを輸送便の封筒に貼付した状態を示す封筒の裏面図である。
広告シール２は、必ずしも封筒３の表面に貼付する必要はない。図２に示すように、広告シール２を封筒３の裏面に貼付することも可能である。封筒３の裏面は、切手４又は宅配便伝票、宛先シート５を貼付する必要がないので、封筒３の表面に比較して大きな広告シール２を貼付することができる。広告シール２は、封筒３の表面と裏面の両方に貼付することも可能である。
【００２７】
＜透明封筒の輸送便に貼付する広告シール＞
図３は本発明の広告シールを透明封筒の輸送便に貼付した状態を示す透明封筒の表面図である。
広告シール２を貼付する輸送便１は上述した封筒３に限定されない。透明封筒２１に広告シール２を貼付することができる。例えば、封筒全体が透明になっている透明封筒２１の場合は、封入物２２に局印２３と宛名２４が印刷又は貼付されている。この封入物２２は透明封筒２１内に隙間無く封入されている。一般的には、透明封筒２１の表面（プラスチックフィルム又はセロハンフィルムの表面）に広告シール２が貼付される。必要に応じて、その内部の封入物２２に広告シール２を貼付することも可能である。
【００２８】
図４は本発明の広告シールを透明封筒の輸送便に貼付した状態を示す透明封筒の裏面図である。
透明封筒２１の場合も広告シール２は、必ずしも透明封筒２１の表面に貼付する必要はない。図４に示すように、広告シール２を透明封筒２１の裏面に貼付することも可能である。透明封筒２１の裏面は、封入物２２に局印２３と宛名２４を貼付又は印刷する必要がないので、透明封筒２１の表面に比較して大きな広告シール２を貼付することができる。広告シール２は、透明封筒２１の表面と裏面の両方に貼付することも可能である。
【００２９】
＜広告シールの構成＞  
図５は広告シールの一例を示す拡大断面図である。
広告シール２は、広告情報が印刷された紙又はフィルムなどのシート材２ａの裏面に、貼付剤２ｂが塗布されたものである。この貼付剤２ｂとしては粘着剤が好ましい。例えば、この貼付剤２ｂ（粘着剤）面に剥離シート２ｃを貼り付けておく。必要に応じてこの剥離シート２ｃを剥がして、露出した貼付剤２ｂ（粘着剤）面を封筒３、はがき、梱包箱３１に貼付する。またはプラスチックフィルム又はセロハンフィルムから成る透明封筒２１に貼付する。
なお、従来の切手のように、水で濡らして貼り付ける糊剤を塗布したものでよいことは勿論である。
【００３０】
＜梱包箱の輸送便に貼付する広告シール＞
図６は本発明の広告シールを輸送便である梱包箱の数カ所に貼付した状態を示す斜視図である。
更に、本発明の広告シール２は梱包箱３１に貼付することができる。梱包箱３１には６面があるので、広告シール２を数カ所（面）に貼付することができ、数種類の広告情報を掲載することも可能である。例えば、上面には宛先シート５が貼付されているが、その他の面には、本発明の広告シール２をそれぞれ複数枚貼付することができる。その宣伝訴求力を高めることができる。
【００３１】
＜変形例１  発光塗料を用いた広告シール＞
図７は広告シールに発光塗料を使用した変形例１を示す封筒の部分正面図である。
広告シール２に表示された広告情報は、通常のインクによる印刷したもの限定されない。変形例１に示すように、発光塗料１１（夜光塗料）が塗布されたものを使用することができる。発光塗料１１は、昼光、蛍光灯、ブラックライトなどのエネルギーを吸収して一時的に蓄え、真っ暗な状態になると、この蓄えた光を徐々に放出して発光させる塗料である。発光塗料１１は、蛍光体や燐光体を混入させた塗料である。この発光塗料１１で表示された広告シール２は、暗い場所で広告シール２が光るために、その宣伝訴求力が高くなる。
【００３２】
＜変形例２  立体インクを用いた広告シール＞
図８は広告シールに立体インクを使用した変形例２を示す封筒の部分正面図である。
変形例２に示すように、広告シール２に表示された広告情報は、線画が浮き上がる立体インク１２で表示されたものを使用することができる。立体インク１２は、例えば紫外線などの光を照射すると硬化する顔料、又は染料を含んだ合成樹脂材などからなるインクである。この立体インク１２で表示された広告シール２は、輸送便１を手にしたときに、指に違和感を感じるために、その宣伝訴求力が高くなる。
【００３３】
＜変形例３  ポップアップカード風の広告シール＞
図９は広告シールをポップアップカード風に形成した変形例３を示す封筒の部分正面図である。
変形例３に示すように、広告シール２に表示された広告情報は、封筒を折り曲げると裁断された状態の形状が部分的に飛び出すポップアップカード風に表示されたものを使用することができる。このポップアップカード風に形成した広告シール２は、輸送便１の封筒３を手にしたときに、広告シール２の形態が変化するために、その宣伝訴求力が高くなる。
【実施例２】
【００３４】
＜広告シールによる輸送便宣伝方法の構成＞
図１０の実施例２の広告シールによる輸送便宣伝方法を示す概略説明図である。図１１は輸送便に広告シールを貼付する際の作業フロー図である。
実施例２の広告シールによる宣伝方法は、図示するように、輸送便１の封筒３又は梱包箱３１に、上述した構成の広告シール２を貼付して宣伝する方法である。先ず、広告依頼主Ａが、広告シール管理者Ｂにダイレクトメール等の大量の輸送便１の発送を依頼（発注）する。この広告シール管理者Ｂは、広告シールの広告依頼主Ｃが作成を依頼する広告シール２を、輸送便１に貼付する旨を広告依頼主Ａに連絡して貼付許可を確認する。
【００３５】
広告シール管理者Ｂは、広告依頼主Ａから広告シール２の貼付許可を受けたら、輸送便１の封筒３又は梱包箱３１に広告シール２を貼付する。
配送者Ｄは、広告シール２が貼付された輸送便１を各配達先Ｅに配達する。  広告依頼主Ａは、自己の輸送便１に広告シール２を貼付させることによる掲載料を広告シール広告依頼主Ｃから徴収することができる。そこで、広告依頼主Ａが大量に発送する輸送便１のコストを下げることができる。
【００３６】
ここで、広告依頼主Ａとは、公共のお知らせなどの大量の輸送便１を発送する者である。例えば、保険会社、カード会社などのお知らせ、ダイレクトメール（ＤＭ）などの輸送便１の発送者である。広告依頼主Ａの対象は、顧客即ち配達先Ｄに届ける輸送便１のすべてである。
【００３７】
広告シールの広告依頼主Ｃとは、通販サイトの案内、保険、自社サービスなどのお知らせ、店舗案内などについて、広告シール２で広告することを広告シール管理者Ｂに依頼する者である。ポスティングの代わりなるものである。広告シールの広告依頼主Ｃは、効率よく自社リストを集め、効率よく商品やサービスを販売することが主眼となる。
【００３８】
広告シール管理者Ｂとは、顧客リスト、マーケット調査を通じてレスポンスの最適化を図り、広告訴求力が高い広告を作成する者である。広告シール管理者Ｂは、後述する広告シール管理システム１００を活用して、効率よくリストを集め、効率よく商品を販売し、サービスを提供することが主眼となる。
また、配送者Ｄとは、日本郵便、宅配業者、運送会社、地域の発送デポ（ポスティング）などである。郵便、メール便、宅配便などの輸送便１を配送する業者である。
【００３９】
＜広告シールによる宣伝方法を実施するシステム構成＞
図１２は広告シールによる宣伝方法の実施に用いる管理システムの一例を示すブロック図である。
広告シール管理者Ｂは、次のような広告シール管理システム１００を用いて、顧客リストの管理、マーケット情報管理、レスポンスの最適化を図ることができる。この広告シール２による宣伝方法の実施に用いる広告シール管理システム１００は、図１３に示すように、データベース４０、配達先（受取人）の住所氏名等の項目入力手段５１及びその輸送便１に適した広告情報の広告シール２かどうかを判定する広告シール判定手段５２を主な構成要素としている。これらの住所氏名等の項目入力手段５１及び広告シール判定手段５２は、コンピュータシステム及びその周辺機器により構成され、コンピュータシステム及びその周辺機器がアプリケーションプログラムに従って動作することにより、各手段の機能を発揮するようになっている。
【００４０】
実施例２の広告シール管理システム１００は、配達先（受取人）Ｅの住所氏名に関する住所氏名項目、広告シール２に掲載する広告情報に関する広告情報項目のデータ等を入力する入力装置６０と、輸送便に貼付する広告シール２の広告情報がその輸送便の配達先（受取人）Ｅの属性に適しているかどうかの判断などを行う処理装置７０と、住所氏名項目情報と、広告シール２の広告情報などの情報を記憶するデータベース４０と、処理装置７０によって出力された広告シール情報を表示する表示装置８０を備えたシステムである。
【００４１】
入力装置６０は、例えばキーボードやマウスなどの情報入力装置によって構成され、ユーザインタフェースとして用いられる。表示装置８０は、例えば液晶表示装置などの情報表示装置によって構成される。
【００４２】
処理装置７０は、例えばＣＰＵなどの情報処理装置によって構成され、配達先（受取人）の住所、氏名、性別、年齢、職業等の属性を入力する項目入力手段５１と、輸送便１に適した広告情報の広告シール２かどうかを判定する広告シール判定手段５２を含む。
【００４３】
データベース４０は、配達先（受取人）の住所、氏名、性別、年齢、職業等の属性、広告シール２の広告情報に関連する必要なデータを格納した部分であり、ハードディスク記憶装置等の大容量記憶装置を含んで構成される。また、項目入力手段５１と、広告シール判定手段５２は、このデータベース４０との間でデータを送受信することにより、各手段としての動作を行うようになっている。
【００４４】
データベース４０は、配達先（受取人）Ｅの住所、氏名、性別、年齢、職業等の属性に関する配達先（受取人）項目情報データベース４１、輸送便１の発送を依頼する広告依頼主Ａの業種、広告内容に関する広告依頼主情報データベース４２、この輸送便１に貼付する広告シール２に表示される、広告シールの広告依頼主Ｃの広告情報に関する広告シール情報データベース４３が格納されたデータベースである。
【００４５】
図１３は実施例２の広告シールによる宣伝方法の実施に用いる管理システムの処理の一例を示すフローチャートである。
広告シール管理システム１００では、データベース４０との間でデータを送受信することにより、その広告依頼主Ａから依頼のあった輸送便１に宣伝内容に適した広告内容と関連する広告情報が表示された広告シール２が選択される。必要に応じて、管理システム１００で選択された広告情報が表示された広告シール２が印刷されるようにすることも可能である。
【００４６】
先ず、広告シール管理者Ｂによって、広告依頼者Ａから依頼された広告情報が、項目入力手段５１により配達先（受取人）Ｅの項目情報データベース４１に格納されると、広告シール判定手段５２によりその輸送便１、即ちその宣伝内容に適した広告情報（広告シール２）が選択される。これは、過去に輸送便１を処理したデータについて、同じく過去の広告シール２の広告情報などが判定され、その輸送便１の宣伝内容に適した広告情報（広告シール２）が選定される。
そして、選定された広告情報（広告シール２）が表示装置８０に表示され、更に必要に応じて印刷されて処理が終了する。
また、選定された広告シール２の広告情報に関するデータが記憶される。
【００４７】
なお、本発明は、輸送便１の表面又は裏面に広告シール２を貼付することで、輸送便１を受け取った配達先（受取人）Ｅの人が、この広告シール２を認識することにより、宣伝訴求力を高めることができれば、上述した発明の実施の形態に限定されず、本発明の要旨を逸脱しない範囲で種々変更できることは勿論である。
【産業上の利用可能性】
【００４８】
本発明の広告シールは、郵便物、宅配便などの輸送便に限らず、配送業者により配送される大きな宅配物、その他の配送に関連する輸送箱、カートなど広告シールを貼付できるものに利用することができる。
【符号の説明】
【００４９】
１  輸送便
２  広告シール
２ａ  シート材
２ｂ  貼付剤
３  封筒
１１  発光塗料（夜光塗料）
１２  立体インク
２１  透明封筒
３１  梱包箱  ４１  配達先（受取人）項目情報データベース
４２  広告依頼主情報データベース
４３  広告シール情報データベース
４０  データベース
５１  住所氏名等の項目入力手段
５２  広告シール判定手段
６０  入力装置
７０  処理装置
８０  表示装置
１００  広告シール管理システム
Ａ  広告依頼主
Ｂ  広告シール管理者
Ｃ  広告シールの広告依頼主
Ｄ  配送者
Ｅ  配達先（受取人）
【図１】
2019002947.tif 000003
【図２】
2019002947.tif 000004
【図３】
2019002947.tif 000005
【図４】
2019002947.tif 000006
【図５】
2019002947.tif 000007
【図６】
2019002947.tif 000008
【図７】
2019002947.tif 000009
【図８】
2019002947.tif 000010
【図９】
2019002947.tif 000011
【図１０】
2019002947.tif 000012
【図１１】
2019002947.tif 000013
【図１２】
2019002947.tif 000014
【図１３】
2019002947.tif 000015
【図１４】
2019002947.tif 000016